(57)【特許請求の範囲】
【請求項１】
インシュレータと、このインシュレータのコンタクト収容部に保持されるコンタクトとを備え、
２つの接続対象物間に配置して、その２つの接続対象物を電気的に接続するコネクタにおいて、
前記コンタクトは、前記インシュレータに保持される保持部と、前記保持部に設けられ、互いに同方向へ延びるとともに反対方向へ折れ曲がった第１、第２のばね部と、前記第１のばね部の自由端側に設けられ、前記２つの接続対象物のうちの一方の接続対象物に接触可能な第１の接触部と、前記第１のばね部の折曲部に設けられ、前記２つの接続対象物のうちの他方の接続対象物に接触可能な第２の接触部と、前記第２のばね部の自由端側に設けられ、前記他方の接続対象物に接触可能な第３の接触部と、前記第２のばね部の折曲部に設けられ、前記一方の接続対象物に接触可能な第４の接触部とを有し、
前記第１のばね部が弾性変形していないとき、前記第１、第２の接触部の一方が、前記コンタクト収容部から外へ突出し、前記第１、第２の接触部の一方が前記２つの接続対象物のうちの一方に接触して前記第１のばね部が弾性変形したとき、前記第１、第２の接触部の他方が、前記２つの接続対象物のうちの他方に接触し、
前記第２のばね部が弾性変形していないとき、前記第３、第４の接触部の一方が、前記コンタクト収容部から外へ突出し、前記第３、第４の接触部の一方が前記２つの接続対象物のうちの一方に接触して前記第２のばね部が弾性変形したとき、前記第３、第４の接触部の他方が、前記２つの接続対象物のうちの他方に接触する
ことを特徴とするコネクタ。
【請求項２】
インシュレータと、このインシュレータのコンタクト収容部に保持されるコンタクトとを備え、
２つの接続対象物間に配置して、その２つの接続対象物を電気的に接続するコネクタにおいて、
前記コンタクトは、前記インシュレータに保持される保持部と、前記保持部に設けられ、互いに同方向へ延びるとともに反対方向へ折れ曲がった第１、第２のばね部と、前記第１のばね部の自由端側に設けられ、前記２つの接続対象物のうちの一方の接続対象物に接触可能な第１の接触部と、前記第１のばね部の折曲部に設けられ、前記２つの接続対象物のうちの他方の接続対象物に接触可能な第２の接触部と、前記第２のばね部の自由端側に設けられ、前記他方の接続対象物に接触可能な第３の接触部と、前記第２のばね部の折曲部に設けられ、前記一方の接続対象物に接触可能な第４の接触部とを有し、
前記第１、第２の接触部の両方が、前記コンタクト収容部から外へ突出しており、
前記第３、第４の接触部の両方が、前記コンタクト収容部から外へ突出している
ことを特徴とするコネクタ。
【発明の詳細な説明】
【０００１】
【発明の属する技術分野】
この発明は、２つの接続対象物間に配置して、その２つの接続対象物を電気的に接続するコネクタに関する。
【０００２】
【従来の技術】
従来、２つの接続対象物間に配置して、その２つの接続対象物を電気的に接続するコネクタとして、特開平１１−３３９９０７号公報に記載されたものが知られている。
【０００３】
図４は従来のコネクタの斜視図である。
【０００４】
このコネクタは、インシュレータ２０２と、このインシュレータのコンタクト収容部２０１に収容されるコンタクト２０３とを備える。
【０００５】
コンタクト２０３は、インシュレータ２０２に保持される保持部２０４と、この保持部２０４に設けられ、互いに同方向へ延びるとともに反対方向へ折れ曲がった一対のばね部２０５，２０６と、一方のばね部２０５の自由側端に設けられ、２つの接続対象物（図示せず）の一方に接触可能な接触部２０７と、他方のばね部２０６の自由端に設けられ、２つの接続対象物の他方に接触可能な接触部２０８とを有している。
【０００６】
一方のばね部２０５の接触部２０７は、コンタクト収容部２０１の一方の開口２０１ａから外側へ突出している。
【０００７】
他方のばね部２０６の接触部２０８は、コンタクト収容部２０１の他方の開口２０１ｂから外側へ突出している。
【０００８】
したがって、一方の接触部２０７はインシュレータ２０２の上面Ｈより上方に位置し、他方の接触部２０８はインシュレータ２０２の下面Ｌよりも下方に位置する。
【０００９】
対向する２つの接続対象物間（図示せず）にコネクタを配置し、それらの接続対象物でコネクタを上下から挟む。接続対象物としては例えばＬＧＡ（Ｌａｎｄ  Ｇｒｉｄ  Ａｒｒａｙ）等がある。
【００１０】
２つの接続対象物でコネクタを上下から挟んだとき、ばね部２０５，２０６は撓み、接触部２０７，２０８は互いに接近する。ばね部２０５，２０６が撓むとき、接触部２０７，２０８は接続対象物のランド上を滑るため、ランド表面が清掃、つまり付着物が除去される（コンタクトによるワイピング）。
【００１１】
【発明が解決しようとする課題】
上述のコンタクト２０３の接触力を高めるには、両接触部２０７，２０８間の寸法を大きくして、両接触部２０７，２０８の開口２０１ａ，２０１ｂからの突出量を大きくする方法が考えられる。
【００１２】
ところが、この方法では、ばね部２０５，２０６の変形量が大きくなるため、ばね部２０５，２０６が塑性変形し易く、初期の接触力を長期に亘って維持することが難しいという問題がある。
【００１３】
この発明はこのような事情に鑑みてなされたもので、その課題は、インシュレータのコンタクト収容部の開口からのコンタクトの接触部の突出量を大きくせずに、コンタクトの高い接触力を維持することができるコネクタを提供することである。
【００１４】
【課題を解決するための手段】
上述の課題を解決するため請求項１記載の発明のコネクタは、インシュレータと、このインシュレータのコンタクト収容部に保持されるコンタクトとを備え、２つの接続対象物間に配置して、その２つの接続対象物を電気的に接続するコネクタにおいて、前記コンタクトは、前記インシュレータに保持される保持部と、前記保持部に設けられ、互いに同方向へ延びるとともに反対方向へ折れ曲がった第１、第２のばね部と、前記第１のばね部の自由端側に設けられ、前記２つの接続対象物のうちの一方の接続対象物に接触可能な第１の接触部と、前記第１のばね部の折曲部に設けられ、前記２つの接続対象物のうちの他方の接続対象物に接触可能な第２の接触部と、前記第２のばね部の自由端側に設けられ、前記他方の接続対象物に接触可能な第３の接触部と、前記第２のばね部の折曲部に設けられ、前記一方の接続対象物に接触可能な第４の接触部とを有し、前記第１のばね部が弾性変形していないとき、前記第１、第２の接触部の一方が、前記コンタクト収容部から外へ突出し、前記第１、第２の接触部の一方が前記２つの接続対象物のうちの一方に接触して前記第１のばね部が弾性変形したとき、前記第１、第２の接触部の他方が、前記２つの接続対象物のうちの他方に接触し、前記第２のばね部が弾性変形していないとき、前記第３、第４の接触部の一方が、前記コンタクト収容部から外へ突出し、前記第３、第４の接触部の一方が前記２つの接続対象物のうちの一方に接触して前記第２のばね部が弾性変形したとき、前記第３、第４の接触部の他方が、前記２つの接続対象物のうちの他方に接触することを特徴とする。
【００１５】
２つの接続対象物によってコネクタが挟まれたとき、第１のばね部の第１の接触部が一方の接続対象物に接触するので、他方の接続対象物に対する第１のばね部の第２の接触部の接触力が高まる。また、第２のばね部の第３の接触部が他方の接続対象物に接触するので、一方の接続対象物に対する第２のばね部の第４の接触部の接触力が高まる。
【００１６】
また、２つの接続対象物によってコネクタが挟まれたとき、第１のばね部の第１の接触部は一方の接続対象物に接触し、第１のばね部の第２の接触部は他方の接続対象物に接触し、第２のばね部の第３の接触部は他方の接続対象物に接触し、第２のばね部の第４の接触部は一方の接続対象物に接触するので、電流の通路長が大幅に短くなる。
【００１７】
請求項２記載の発明は、インシュレータと、このインシュレータのコンタクト収容部に保持されるコンタクトとを備え、２つの接続対象物間に配置して、その２つの接続対象物を電気的に接続するコネクタにおいて、前記コンタクトは、前記インシュレータに保持される保持部と、前記保持部に設けられ、互いに同方向へ延びるとともに反対方向へ折れ曲がった第１、第２のばね部と、前記第１のばね部の自由端側に設けられ、前記２つの接続対象物のうちの一方の接続対象物に接触可能な第１の接触部と、前記第１のばね部の折曲部に設けられ、前記２つの接続対象物のうちの他方の接続対象物に接触可能な第２の接触部と、前記第２のばね部の自由端側に設けられ、前記他方の接続対象物に接触可能な第３の接触部と、前記第２のばね部の折曲部に設けられ、前記一方の接続対象物に接触可能な第４の接触部とを有し、前記第１、第２の接触部の両方が、前記コンタクト収容部から外へ突出しており、前記第３、第４の接触部の両方が、前記コンタクト収容部から外へ突出していることを特徴とする。
【００１８】
上述のように、第１のばね部の第１及び第２の接触部の両方がコンタクト収容部から外へ突出し、第２のばね部の第３及び第４の接触部の両方がコンタクト収容部から外へ突出しているので、２つの接続対象物によってコネクタが挟まれたとき、接続対象物に対する第１〜第４の接触部の接触が安定する。
【００１９】
【発明の実施の形態】
以下、この発明の実施の形態を図面に基づいて説明する。
【００２０】
図１はこの発明の一実施形態に係るコネクタの一部を示す分解斜視図、図２はコンタクトの収容状態を示し、同図(ａ)は下側インシュレータ部にコンタクトを配置した状態の平面図、同図（ｂ）は同図（ａ）の下側インシュレータ部に上側インシュレータ部を重ねた状態の平面図、同図（ｃ）は同図（ｂ）のｃ−ｃ線に沿う断面図、図３はコネクタによって２つの接続対象物が電気的に接続される前後の状態を示す断面図であり、同図（ａ）は接続される前の状態を示す図、同図（ｂ）は接続された後の状態を示す図である。
【００２１】
このコネクタは、複数のコンタクト収容部１が設けられたインシュレータ２と、各コンタクト収容部１に収容されたコンタクト３とを備えている。
【００２２】
この実施形態のコンタクト３は、コンタクトに適した金属板をほぼＵ字形に打ち抜き、平行な２つの直線部分（第１、第２のばね部）を互いに反対方向へほぼＶ字形又はくの字形に折り曲げてなる。
【００２３】
コンタクト３は、保持部４と、この保持部４に設けられ、互いに同方向へ延びるとともに反対方向へ折れ曲がった第１、第２のばね部５，６と、第１のばね部５の自由端側に設けられた円弧状の第１の接触部７と、同じく第２のばね部６の自由端側に設けられた円弧状の第３の接触部８とを有する。第１のばね部５の第１の接触部７は接続対象物１３に接触可能であり、第２のばね部６の第３の接触部８は接続対象物１４に接触可能である。
【００２４】
第１、第２のばね部５，６は上述のように互いに反対方向へＶ字形又はくの字形に折れ曲がっている。第１のばね部５の折曲部には接続対象物１４に接触可能な第２の接触部１１が、第２のばね部６の折曲部には接続対象物１３に接触可能な第４の接触部１２が、それぞれ設けられている。接続対象物１３，１４としては例えばＬＧＡ、プリント基板、ＬＳＩ等の半導体装置などがある。
【００２５】
第１のばね部５の第１の接触部７はコンタクト収容部１の開口１ａから外側へ突出し、第１のばね部５の第２の接触部１１はコンタクト収容部１の開口１ｂから外側へ突出している。また、第２のばね部６の第３の接触部８はコンタクト収容部１の開口１ｂから外側へ突出し、第２のばね部６の第４の接触部１２はコンタクト収容部１の開口１ａから外側へ突出している（図３（ａ）参照）。第１の接触部７はインシュレータ２の上面Ｈより上方に位置し、第２の接触部１１はインシュレータ２の下面Ｌより下方に位置する。また、第３の接触部８はインシュレータ２の下面Ｌより下方に位置し、第４の接触部１２はインシュレータ２の上面Ｈより上方に位置する。保持部４のコンタクト短手方向寸法ＷＣ２は第１のばね部５のコンタクト短手方向寸法ＷＣ１と第２のばね部６のコンタクト短手方向寸法ＷＣ１´とを足した値よりも大きい（図２参照）。
【００２６】
インシュレータ２は上側インシュレータ部２ａと下側インシュレータ部２ｂとで構成されている。上側インシュレータ部２ａは第１の孔２ｃ、第２の孔２ｄ、凹部２ｅ及びブロック状部２ｆを有する。下側インシュレータ部２ｂは第１の孔２ｇ、第２の孔２ｈ、凹部２ｉ及びブロック状部２ｊを有する。上側インシュレータ部２ａと下側インシュレータ部２ｂとは同形状であるので、図１を参照して、主に下側インシュレータ２ｂについて説明する。第１の孔２ｇはコンタクト長手方向Ｌへ延び、インシュレータ厚さ方向ＩＴへ貫く孔である。第１の孔２ｇには第１のばね部５の一部分が収容され、第２の接触部１１がインシュレータ２の外部へ突出する。第２の孔２ｈは第１の孔２ｇにコンタクト短手方向Ｓに隣接し、インシュレータ厚さ方向ＩＴへ貫く孔である。第２の孔２ｈには第２のばね部６の自由端側端部が収容され、第３の接触部８がインシュレータ２の外部へ突出する。凹部２ｉは第１の孔２ｇの一端に形成され、保持部４を保持する。凹部２ｉは第１の孔２ｇと連通している。ブロック状部２ｆは第１の孔２ｇに隣接し、コンタクト長手方向Ｌへ延びている。ブロック状部２ｊの上端面２ｔは凹部２ｉの底面２ｓに連続し、また第２のばね部６に対向する。上側インシュレータ部２ａの第１の孔２ｃ、第２の孔２ｄ、凹部２ｅ及びブロック状部２ｆはそれぞれ下側インシュレータ部２ｂの第１の孔２ｇ、第２の孔２ｈ、凹部２ｉ及びブロック状部２ｊに対応している。但し、下側インシュレータ部２ｂに上側インシュレータ部２ａを積み重ねたとき、上側インシュレータ部２ａの第１の孔２ｃは下側インシュレータ部２ｂのブロック状部２ｊに対向し、上側インシュレータ部２ａのブロック状部２ｆは下側インシュレータ部２ｂの第１の孔２ｇに対向する。両インシュレータ部２ａ，２ｂを重ね合わせると、上述の第１の孔２ｃ，２ｇ、第２の孔２ｄ，２ｈ、凹部２ｅ，２ｉ及びブロック状部２ｆ，２ｊによってインシュレータ２の内部にコンタクト３を収容する部屋としてのコンタクト収容部１が形成される。コネクタを組み付けるには、一方のインシュレータ部２ｂの所定位置にコンタクト３を配置し、そのインシュレータ部２ｂに他方のインシュレータ部２ａを重ね、両インシュレータ部２ａ，２ｂを接合する。
【００２７】
コンタクト収容部１の一方の開口１ａと他方の開口１ｂとは対向している。コンタクト収容部１の凹部２ｅ，２ｉはインシュレータ厚さ方向ＩＴ、コンタクト短手方向Ｓ及びコンタクト長手方向Ｌへの保持部４の移動を規制する。したがって、この凹部２ｅ，２ｉによってコンタクト３はコンタクト収容部１内で保持されている。
【００２８】
コンタクト収容部１の第１の孔２ｃ，２ｇのコンタクト短手方向寸法ＷＩ１と第２の孔２ｄ，２ｈのコンタクト短手方向寸法ＷＩ１´とは等しい。コンタクト３の第１のばね部５のコンタクト短手方向寸法ＷＣ１と第２のばね部６のコンタクト短手方向寸法ＷＣ１´とは等しい。第１の孔２ｃ，２ｇのコンタクト短手方向寸法ＷＩ１の値と第２の孔２ｄ，２ｈのコンタクト短手方向寸法ＷＩ１´の値とを合計した値は、第１のばね部５のコンタクト短手方向寸法ＷＣ１の値と第２のばね部６のコンタクト短手方向寸法ＷＣ１´の値とを合計したものよりも大きい。
【００２９】
保持部４のコンタクト長手方向寸法ＤＣは凹部２ｅ，２ｉのコンタクト長手方向寸法ＤＩよりわずかに小さく、保持部４のコンタクト短手方向寸法ＷＣ２は凹部２ｅ，２ｉのコンタクト短手方向寸法ＷＩ２よりわずかに小さい。保持部４のコンタクト長手方向寸法ＤＣと凹部２ｅ，２ｉのコンタクト長手方向寸法ＤＩとの差が第２の接触部１１，１２の摺動距離Ｗｌ１より小さくなるように設定されている。
【００３０】
２つの接続対象物１３，１４によってコネクタが上下から挟まれる前において、図３（ａ）に示すように、第１のばね部５の第１及び第２の接触部７，１１はそれぞれ開口１ａ，１ｂから上下へ突出し、第２のばね部６の第３及び第４の接触部８，１２はそれぞれ開口１ｂ，１ａから上下へ突出している。
【００３１】
上述のように、凹部２ｅ，２ｉにはコンタクト３の保持部４が収容されているので、コンタクト３の第１、第３の接触部７，８又は第２、第４の接触部１１，１２にインシュレータ厚さ方向ＩＴ、コンタクト短手方向Ｓ又はコンタクト長手方向Ｌの力が作用したとしても、第１、第２のばね部５，６の動きは規制される。したがって、コンタクト３が倒れたり、離脱したりしない。
【００３２】
２つの接続対象物１３，１４によってコネクタが上下から挟まれたとき、図３（ｂ）に示すように、第１〜第４の接触部７，８，１１，１２はそれぞれコンタクト収容部１内へ押し込まれる。
【００３３】
第１、第２のばね部５，６が撓むとき、第１〜第４の接触部７，８，１１，１２は接続対象物１３，１４のランド１３ａ，１４ａ（接触部）上を滑るため、ランド表面の付着物が除去される。
【００３４】
また、第１の接触部７は接続対象物１３に接触し、第２の接触部１１は接続対象物１４に接触するので、接続対象物１３，１４に対する第１、第２の接触部７，１１の接触力が高まる。
【００３５】
同様に、第３の接触部８は接続対象物１４に接触し、第４の接触部１２は接続対象物１３に接触するので、接続対象物１３，１４に対する第３、第４の接触部８，１２の接触力が高まる。
【００３６】
この実施形態によれば、上述の図４に示す従来のコネクタのように接触部２０７，２０８間の寸法を大きくすることにより接触部２０７，２０８の開口２０１ａ，２０１ｂからの突出量を大きくして、接触部２０７，２０８の接触力を高める構成ではないので、第１〜第４の接触部７，８，１１，１２の接触力を長期に亘って維持することができる。
【００３７】
また、２つの接続対象物１３，１４によってコネクタが上下から挟まれたとき、第１の接触部７が一方の接続対象物に接触し、第２の接触部１１が他方の接続対象物に接触し、同様に、第３の接触部８が他方の接続対象物に接触し、第４の接触部１２が一方の接続対象物に接触するので、電流の通路長が大幅に短くなる。この実施形態ではほぼ半分になる。
【００３８】
更に、凹部２ｅ，２ｉによってコンタクト３の保持部４のインシュレータ厚さ方向ＩＴ及びコンタクト短手方向Ｓ及びコンタクト長手方向Ｌへの移動が規制されるので、第１〜第４の接触部７，８，１１，１２に力が作用したとき、コンタクト３の倒れや離脱が阻止される。
【００３９】
なお、この実施形態では、第１〜第４の接触部７，８，１１，１２のすべてがコンタクト収容部１の開口１ａ，１ｂから突出しているが、必ずしもこのように構成する必要はなく、第１のばね部５の第１の接触部７と第２の接触部１１のいずれか一方がコンタクト収容部１から外へ突出し、また、第２のばね部６の第３の接触部８と第４の接触部１２のいずれか一方がコンタクト収容部１から外へ突出していればよい。
【００４０】
また、この実施形態では、保持部４は凹部２ｅ，２ｉ内で僅かに動けるようになっており、したがってコンタクト３はコンタクト収容部１内にフローティング状態で配置されているが、固定部４をインシュレータ２に圧入等により固定しても構わない。
【００４１】
【発明の効果】
以上に説明したように請求項１記載の発明のコネクタによれば、各ばね部の第１〜第４の接触部の接触力を長期に亘って維持することができる。また、電流の通路長が大幅に短くなる。
【００４２】
請求項２記載の発明のコネクタによれば、第１〜第４の接触部の接触力をより強い状態で維持することができる。
【図面の簡単な説明】
【００４３】
【図１】  図１はこの発明の第１実施形態に係るコネクタの一部を示す分解斜視図である。
【図２】  図２（ａ），（ｂ）はコンタクトの収容状態を説明するための平面図、図２（ｃ）はコンタクト収容状態を説明する断面図である。
【図３】  図３はコネクタによって２つの接続対象物が電気的に接続される前後の状態を示す断面図である。
【図４】  図４は従来のコネクタの斜視図である。
【符号の説明】
【００４４】
１  コンタクト収容部
１ａ，１ｂ  コンタクト収容部の開口
２  インシュレータ
３  コンタクト
４  保持部
５  第１のばね部
６ 第２のばね部
７  第１の接触部
８ 第３の接触部
１１  第２の接触部
１２ 第４の接触部
１３，１４  接続対象物
【図１】
0004390095.tif 000002
【図２】
0004390095.tif 000003
【図３】
0004390095.tif 000004
【図４】
0004390095.tif 000005